(57)【要約】【課題】光学シートに生じるうねりを抑制できる表示装置を提供する。【解決手段】表示装置１は、表示パネル（第１表示パネル及び／又は第２表示パネル２００）と、第１表示パネル１００の表示面の周縁部を覆う額縁部６１１を有する上フレーム６１０と、上フレーム６１０の額縁部６１１との間で表示パネルを挟む中フランジ部６２１を有する中フレーム６２０と、複数のＬＥＤ６１０を収容する収容空間を構成する本体部６３１及び本体部６３１の周縁に設けられた下フランジ部６３２を含む下フレーム６３０と、本体部６３１と対向し、外周端部が下フランジ部６３２と中フランジ部６２１との間に位置する透光性を有する剛板である透光基板３２０と、表示パネルと対向し、外周端部が中フランジ部６２１と額縁部６１１との間に位置する光学シート３３０とを備える。【選択図】図６
2018163315.tif 000002
【特許請求の範囲】
【請求項１】
表示パネルと、
前記表示パネルの表示面の周縁部を覆う額縁部を有する上フレームと、
前記上フレームの前記額縁部との間で前記表示パネルを挟む中フランジ部を有する中フレームと、
複数の発光素子を収容する収容空間を構成する本体部及び前記本体部の周縁に設けられた下フランジ部を含む下フレームと、
前記本体部と対向し、外周端部が前記下フランジ部と前記中フランジ部との間に位置する透光性を有する剛板と、
前記表示パネルと対向し、外周端部が前記中フランジ部と前記額縁部との間に位置する光学シートとを備える、
表示装置。
【請求項２】
さらに、前記光学シートの周縁部と前記表示パネルの周縁部との間に配置された遮光シートを備える、
請求項１に記載の表示装置。
【請求項３】
前記剛板は、ガラス板である、
請求項１又は２に記載の表示装置。
【請求項４】
前記ガラス板は、光拡散性を有する、
請求項３に記載の表示装置。
【請求項５】
さらに、
前記中フレームの前記中フランジ部と前記下フレームの前記下フランジ部との間に配置され、前記剛板の面方向の移動を規制する下スペーサと、
前記上フレームの前記額縁部と前記中フレームの前記中フランジ部との間に配置され、前記光学シートの面方向の移動を規制する上スペーサとを備える、
請求項１〜４のいずれか１項に記載の表示装置。
【請求項６】
さらに、
前記下フランジ部及び前記中フランジ部の少なくとも一方と前記剛板の外周端部との間に配置されたクッション部材を備える、
請求項５に記載の表示装置。
【請求項７】
前記表示パネルとして、第１表示パネルと、前記第１表示パネルに重ね合わせられた第２表示パネルとが設けられ、
前記第１表示パネル及び前記第２表示パネルは、液晶表示パネルとして構成されている、
請求項１〜６のいずれか１項に記載の表示装置。
【請求項８】
前記下フレームの前記本体部は、前記表示パネルと対向し、複数の発光素子が取り付けられた底板部と、前記底板部の外周端部と前記下フランジ部との間を延びる側板部と、を有し、
前記側板部と前記下フランジ部は、前記底板部よりも熱伝導率の低い材料で一体に構成されている、
請求項１〜７のいずれか１項に記載の表示装置。
【請求項９】
前記底板部は、金属にて構成され、
前記側板部と前記下フランジ部は、樹脂にて構成されている、
請求項８に記載の表示装置。
【発明の詳細な説明】
【技術分野】
【０００１】
本開示は、表示装置に関する。
【背景技術】
【０００２】
液晶セルを含む表示パネルを用いた液晶表示装置は、低消費電力で画像を表示することができるため、テレビ又はモニタ等のディスプレイ等として利用されている。しかしながら、液晶表示装置は、有機ＥＬ（Ｅｌｅｃｔｒｏ  Ｌｕｍｉｎｅｓｃｅｎｃｅ）表示装置と比べてコントラスト比が低い。
【０００３】
そこで、従来、液晶表示装置のコントラスト比を向上させる技術として、２枚の表示パネルを重ね合わせることで、入力映像信号に基づいて、それぞれの表示パネルに画像を表示させる技術が提案されている。例えば、特許文献１には、カラー画像を表示する第１液晶パネルとモノクロ画像を表示する第２液晶パネルとを重ね合わせることで、コントラスト比を向上させることができる液晶表示装置が開示されている。
【先行技術文献】
【特許文献】
【０００４】
【特許文献１】国際公開第２００７／０４０１５８号
【発明の概要】
【発明が解決しようとする課題】
【０００５】
近年、液晶表示装置では、バックライトとして直下型のＬＥＤバックライトが用いられている。直下型のＬＥＤバックライトは、例えば、二次元状に配列された複数のＬＥＤと、複数のＬＥＤの前方に配置された透光基板と、透光基板に載置された光学シートとを備える。透光基板は、例えば、複数のＬＥＤを支持する底部を有するフレームのフランジ部に、透光基板の外周端部が載置されることでフレームに支持されている。
【０００６】
このような構成の直下型のＬＥＤバックライトを用いた表示装置では、透光基板に載置された光学シートにうねりが生じて、表示装置に表示される画像の品位が低下するという課題がある。
【０００７】
本開示は、このような課題を解決するためになされたものであり、光学シートに生じるうねりを抑制できる表示装置を提供することを目的とする。
【課題を解決するための手段】
【０００８】
上記目的を達成するために、本開示に係る表示装置の一態様は、表示パネルと、前記表示パネルの表示面の周縁部を覆う額縁部を有する上フレームと、前記上フレームの前記額縁部との間で前記表示パネルを挟む中フランジ部を有する中フレームと、複数の発光素子を収容する収容空間を構成する本体部及び前記本体部の周縁に設けられた下フランジ部を含む下フレームと、前記本体部と対向し、外周端部が前記下フランジ部と前記中フランジ部との間に位置する透光性を有する剛板と、前記表示パネルと対向し、外周端部が前記中フランジ部と前記額縁部との間に位置する光学シートとを備える。
【発明の効果】
【０００９】
光学シートに生じるうねりを抑制できるので、画像品位の低下を抑制することができる。
【図面の簡単な説明】
【００１０】
【図１】実施の形態に係る表示装置の概略構成を示す図である。
【図２】実施の形態に係る表示装置における第１表示パネルの概略構成を示す図である。
【図３】実施の形態に係る表示装置における第２表示パネルの概略構成を示す図である。
【図４】実施の形態に係る表示装置の分解斜視図である。
【図５】図４のV−V線における実施の形態に係る表示装置の部分断面斜視図である。
【図６】図４のVI−VI線における実施の形態に係る表示装置の部分断面図である。
【図７】図４のVII−VII線における実施の形態に係る表示装置の部分断面図である。
【図８】変形例に係る表示装置の部分断面図である。
【発明を実施するための形態】
【００１１】
以下、本開示の実施の形態について説明する。なお、以下に説明する実施の形態は、いずれも本開示の好ましい一具体例を示すものである。したがって、以下の実施の形態で示される、数値、形状、材料、構成要素、及び、構成要素の配置位置や接続形態などは、一例であって本開示を限定する主旨ではない。よって、以下の実施の形態における構成要素のうち、本開示の最上位概念を示す独立請求項に記載されていない構成要素については、任意の構成要素として説明される。
【００１２】
各図は模式図であり、必ずしも厳密に図示されたものではない。したがって、各図において縮尺等は必ずしも一致していない。なお、各図において、実質的に同一の構成に対しては同一の符号を付しており、重複する説明は省略又は簡略化する。
【００１３】
また、本明細書及び図面において、Ｘ軸、Ｙ軸及びＺ軸は、三次元直交座標系の三軸を表しており、Ｘ軸及びＹ軸は、互いに直交し、かつ、いずれもＺ軸に直交する軸である。
【００１４】
（実施の形態）
まず、実施の形態に係る表示装置１の概略構成について、図１〜図３を用いて説明する。図１は、実施の形態に係る表示装置１の概略構成を示す図である。図２は、同表示装置１における第１表示パネル１００の概略構成を示す図である。図３は、同表示装置１における第２表示パネル２００の概略構成を示す図である。
【００１５】
表示装置１は、静止画像又は動画像の画像（映像）を表示する画像表示装置である。図１に示すように、表示装置１は、観察者に近い位置（前側）に配置された第１表示パネル１００と、第１表示パネル１００よりも観察者から遠い位置（後側）に配置された第２表示パネル２００とを備える。第１表示パネル１００及び第２表示パネル２００は、平面視において同一の外形形状であるが、これに限らない。
【００１６】
第１表示パネル１００は、メインパネルであって、ユーザが視認する画像を表示する。第１表示パネル１００は、例えば、ユーザが視認する画像としてカラー画像を表示する。
【００１７】
第１表示パネル１００には、第１ソースＦＰＣ１１０及び第１ゲートＦＰＣ１２０が接続されている。第１ソースＦＰＣ１１０及び第１ゲートＦＰＣ１２０は、例えば、異方性導電性フィルム（ＡＣＦ；Ａｎｉｓｏｔｒｏｐｉｃ  Ｃｏｎｄｕｃｔｉｖｅ  Ｆｉｌｍ）を用いた熱圧着によって第１表示パネル１００の各種信号線の電極端子と接続されている。
【００１８】
第１ソースＦＰＣ１１０には、第１ソースドライバ１１１が実装されている。本実施の形態において、第１ソースＦＰＣ１１０は、第１表示パネル１００の長辺端部に１２個設けられているが、第１ソースＦＰＣ１１０の数は、１２個に限らない。
【００１９】
また、第１ソースＦＰＣ１１０の第１表示パネル１００側とは反対側の部分には、第１回路基板１１２が接続されている。第１回路基板１１２は、第１ソースＦＰＣ１１０を介して第１表示パネル１００と電気的に接続されている。第１回路基板１１２は、略矩形板状のプリント基板（ＰＣＢ；Ｐｒｉｎｔｅｄ  Ｃｉｒｃｕｉｔ  Ｂｏａｒｄ）であり、第１回路基板１１２には、複数の電子部品が実装されている。第１回路基板１１２は、第１タイミングコントローラ４１０から出力された各種信号を第１ソースＦＰＣ１１０の第１ソースドライバ１１１に伝達する機能を有する。本実施の形態では、６個の第１ソースＦＰＣ１１０に対して、１つの第１回路基板１１２が接続されている。つまり、第１回路基板１１２は、２つ設けられているが、第１回路基板１１２の数は、２つに限らない。
【００２０】
第１ゲートＦＰＣ１２０には、第１ゲートドライバ１２１が実装されている。本実施の形態において、第１ゲートＦＰＣ１２０は、第１表示パネル１００の両短辺端部の各々に７個ずつ設けられているが、第１ゲートＦＰＣ１２０の数は、１４個に限らない。
【００２１】
第１表示パネル１００の第１画像表示領域１３０にカラー画像を表示する場合、第１タイミングコントローラ４１０から出力される各種信号が第１ソースドライバ１１１及び第１ゲートドライバ１２１に入力される。なお、第１ソースドライバ１１１については、第１回路基板１１２を介して第１ソースドライバ１１１に各種信号が入力される。
【００２２】
第２表示パネル２００は、第１表示パネル１００の背面側に配置されるサブパネルである。第２表示パネル２００は、例えば、第１表示パネル１００に表示されるカラー画像に対応した画像パターンのモノクロ画像（白黒画像）を、そのカラー画像に同期させて表示する。
【００２３】
第２表示パネル２００には、第２ソースＦＰＣ２１０及び第２ゲートＦＰＣ２２０が接続されている。第２ソースＦＰＣ２１０及び第２ゲートＦＰＣ２２０は、例えば、異方性導電性フィルムを用いた熱圧着によって第２表示パネル２００の各種信号線の電極端子と接続されている。
【００２４】
第２ソースＦＰＣ２１０には、第２ソースドライバ２１１が実装されている。本実施の形態において、第２ソースＦＰＣ２１０は、第２表示パネル２００の長辺端部に１２個設けられているが、第２ソースＦＰＣ２１０の数は、１２個に限らない。
【００２５】
また、第２ソースＦＰＣ２１０の第２表示パネル２００側とは反対側の部分には、第２回路基板２１２が接続されている。第２回路基板２１２は、第２ソースＦＰＣ２１０を介して第２表示パネル２００と電気的に接続されている。第２回路基板２１２は、略矩形板状のプリント基板（ＰＣＢ）であり、第２回路基板２１２には、複数の電子部品が実装されている。第２回路基板２１２は、第２タイミングコントローラ４２０から出力された各種信号を第２ソースＦＰＣ２１０の第２ソースドライバ２１１に伝達する機能を有する。本実施の形態では、６個の第２ソースＦＰＣ２１０に対して、１つの第２回路基板２１２が接続されている。つまり、第２回路基板２１２は、２つ設けられているが、第２回路基板２１２の数は、２つに限らない。
【００２６】
第２ゲートＦＰＣ２２０には、第２ゲートドライバ２２１が実装されている。本実施の形態において、第２ゲートＦＰＣ２２０は、第２表示パネル２００の両短辺端部の各々に７個ずつ設けられているが、第２ゲートＦＰＣ２２０の数は、１４個に限らない。
【００２７】
第２表示パネル２００の第２画像表示領域２３０にモノクロ画像を表示する場合、第２タイミングコントローラ４２０から出力される各種信号が第２ソースドライバ２１１及び第２ゲートドライバ２２１に入力される。なお、第２ソースドライバ２１１については、第２回路基板２１２を介して第２ソースドライバ２１１に各種信号が入力される。
【００２８】
図２及び図３に示すように、第１画像表示領域１３０及び第２画像表示領域２３０は、マトリクス状に区画された複数の画素によって構成されている。第１画像表示領域１３０の画素数と第２画像表示領域２３０の画素数とは同じであってもよいし異なっていてもよいが、メインパネルである第１表示パネル１００における第１画像表示領域１３０の画素数を、サブパネルである第２表示パネル２００における第２画像表示領域２３０画素数よりも多くするとよい。
【００２９】
本実施の形態において、表示装置１は液晶表示装置であり、第１表示パネル１００及び第２表示パネル２００は、いずれも液晶パネルである。また、第１表示パネル１００及び第２表示パネル２００の液晶駆動方式は、例えばＩＰＳ（Ｉｎ  Ｐｌａｎｅ  Ｓｗｉｔｃｈｉｎｇ）方式又はＦＦＳ（Ｆｒｉｎｇｅ  Ｆｉｅｌｄ  Ｓｗｉｔｃｈｉｎｇ）方式等の横電界方式であるが、これに限るものではない。第１表示パネル１００及び第２表示パネル２００の液晶駆動方式は、ＶＡ（Ｖｅｒｔｉｃａｌ  Ａｌｉｇｎｍｅｎｔ）方式又はＴＮ（Ｔｗｉｓｔｅｄ  Ｎｅｍａｔｉｃ）方式等であってもよい。
【００３０】
表示装置１は、さらに、バックライト３００を備える。バックライト３００は、第２表示パネル２００の後側に配置されている。
【００３１】
バックライト３００は、第１表示パネル１００及び第２表示パネル２００に向けて光を照射する。バックライト３００は、例えば、ＬＥＤ（Ｌｉｇｈｔ  Ｅｍｉｔｔｉｎｇ  Ｄｉｏｄｅ）を光源とするＬＥＤバックライトであるが、バックライト３００の光源は、ＬＥＤに限定されるものではない。
【００３２】
表示装置１は、さらに、第１表示パネル１００の第１ソースドライバ１１１及び第１ゲートドライバ１２１を制御する第１タイミングコントローラ４１０と、第２表示パネル２００の第２ソースドライバ２１１及び第２ゲートドライバ２２１を制御する第２タイミングコントローラ４２０と、第１タイミングコントローラ４１０及び第２タイミングコントローラ４２０に画像データを出力する画像処理部５００とを備える。
【００３３】
図２に示すように、第１タイミングコントローラ４１０は、画像処理部５００から出力される第１画像データＤＡＴ１と第１制御信号ＣＳ１（クロック信号、垂直同期信号、水平同期信号等）とに基づいて、第１画像データ信号ＤＡ１と、第１ソースドライバ１１１及び第１ゲートドライバ１２１の駆動を制御するための各種タイミング信号（データスタートパルスＤＳＰ１、データクロックＤＣＫ１、ゲートスタートパルスＧＳＰ１、ゲートクロックＧＣＫ１）とを生成する。第１タイミングコントローラ４１０は、第１画像データ信号ＤＡ１と、データスタートパルスＤＳＰ１と、データクロックＤＣＫ１とを第１ソースドライバ１１１に出力し、ゲートスタートパルスＧＳＰ１とゲートクロックＧＣＫ１とを第１ゲートドライバ１２１に出力する。
【００３４】
第１ソースドライバ１１１は、データスタートパルスＤＳＰ１及びデータクロックＤＣＫ１に基づいて、第１画像データ信号ＤＡ１に応じたデータ電圧（データ信号）を第１表示パネル１００のソース配線ＳＬ１に出力する。また、第１ゲートドライバ１２１は、ゲートスタートパルスＧＳＰ１及びゲートクロックＧＣＫ１に基づいて、ゲート電圧（ゲート信号）を第１表示パネル１００のゲート配線ＧＬ１に出力する。これにより、カラー画像が第１画像表示領域１３０に表示される。
【００３５】
図３に示すように、第２タイミングコントローラ４２０は、画像処理部５００から出力される第２画像データＤＡＴ２と第２制御信号ＣＳ２（クロック信号、垂直同期信号、水平同期信号等）とに基づいて、第２画像データ信号ＤＡ２と、第２ソースドライバ２１１及び第２ゲートドライバ２２１の駆動を制御するための各種タイミング信号（データスタートパルスＤＳＰ２、データクロックＤＣＫ２、ゲートスタートパルスＧＳＰ２、ゲートクロックＧＣＫ２）とを生成する。第２タイミングコントローラ４２０は、第２画像データ信号ＤＡ２と、データスタートパルスＤＳＰ２と、データクロックＤＣＫ２とを第２ソースドライバ２１１に出力し、ゲートスタートパルスＧＳＰ２とゲートクロックＧＣＫ２とを第２ゲートドライバ２２１に出力する。
【００３６】
第２ソースドライバ２１１は、データスタートパルスＤＳＰ２及びデータクロックＤＣＫ２に基づいて、第２画像データ信号ＤＡ２に応じたデータ電圧（データ信号）を第２表示パネル２００のソース配線ＳＬ２に出力する。また、第２ゲートドライバ２２１は、ゲートスタートパルスＧＳＰ２及びゲートクロックＧＣＫ２に基づいて、ゲート電圧（ゲート信号）を第２表示パネル２００のゲート配線ＧＬ２に出力する。
【００３７】
図１に示すように、画像処理部５００は、外部のシステム（図示せず）から送信された入力映像信号Ｄａｔａを受信し、所定の画像処理を実行した後、第１タイミングコントローラ４１０に第１画像データＤＡＴ１を出力するとともに、第２タイミングコントローラ４２０に第２画像データＤＡＴ２を出力する。第１画像データＤＡＴ１は、カラー表示用の画像データであり、第２画像データＤＡＴ２は、モノクロ表示用の画像データである。
【００３８】
また、画像処理部５００は、第１タイミングコントローラ４１０に第１制御信号ＣＳ１を出力するとともに、第２タイミングコントローラ４２０に第２制御信号ＣＳ２を出力する。なお、第１制御信号ＣＳ１及び第２制御信号ＣＳ２には、第１表示パネル１００で表示させるカラー画像と第２表示パネル２００で表示させるモノクロ画像とを同期させるための同期信号が含まれる。
【００３９】
このように、本実施の形態に係る表示装置１では、第１表示パネル１００及び第２表示パネル２００の２つの表示パネルを重ね合わせて画像を表示しているので、黒を引き締めることができる。これにより、コントラスト比が高い画像を表示することができる。また、表示装置１は、例えばＨＤＲ（Ｈｉｇｈ  Ｄｙｎａｍｉｃ  Ｒａｎｇｅ）対応テレビであり、バックライト３００として、ローカルディミング対応の直下型ＬＥＤバックライトを用いてもよい。この場合、さらに高コントラスト比かつ高画質のカラー画像を表示することができる。
【００４０】
バックライト３００によってローカルディミングを行う場合、バックライト駆動回路（不図示）によって、画像処理部５００から入力される発光制御信号に応じたタイミング及び輝度でバックライト３００に配列される複数のＬＥＤを選択的に発光させる。
【００４１】
次に、実施の形態に係る表示装置１の構造的な特徴について、図４〜図７を用いて説明する。図４は、実施の形態に係る表示装置１の分解斜視図である。図５は、図４のV−V線における実施の形態に係る表示装置の部分断面斜視図である。図６は、図４のVI−VI線における同表示装置１の部分断面図である。図７は、図４のVII−VII線における同表示装置１の部分断面図である。なお、図５では、上フレーム６１０を透視した状態を示している。
【００４２】
図４〜図７に示すように、表示装置１は、第１表示パネル１００と第２表示パネル２００とバックライト３００とを保持するフレーム６００を備える。フレーム６００は、上フレーム６１０と、中フレーム６２０と、下フレーム６３０とによって構成されている。
【００４３】
表示装置１においては、観察者側から、上フレーム６１０と、第１表示パネル１００と、第２表示パネル２００と、中フレーム６２０と、下フレーム６３０とが、この順で配置されている。なお、図４では、説明の便宜上、第１表示パネル１００及びバックライト３００は省略している。
【００４４】
図６及び図７に示すように、第１表示パネル１００は、第１ＴＦＴ（Ｔｈｉｎ  Ｆｉｌｍ  Ｔｒａｎｓｉｓｔｏｒ）基板１０１と、第１ＴＦＴ基板１０１に対向する第１対向基板１０２と、第１ＴＦＴ基板１０１と第１対向基板１０２との間に配置された第１液晶層１０３とを備える液晶セルである。本実施の形態において、第１ＴＦＴ１０１基板及び第１対向基板１０２のうち第１対向基板１０２が観察者側に位置している。
【００４５】
第１ＴＦＴ基板１０１は、ガラス基板等の透明基板にＴＦＴ層が形成された基板である。ＴＦＴ層は、駆動回路層であり、ＴＦＴ層には、ＴＦＴ及びＴＦＴを駆動する配線等が形成されている。ＴＦＴ層の平坦化層上には、第１液晶層１０３に電圧を印加するための画素電極が形成されている。
【００４６】
第１対向基板１０２は、ガラス基板等の透明基板に画素形成層としてカラーフィルタ層が形成されたＣＦ基板である。第１対向基板１０２の画素形成層は、ブラックマトリクス（黒色部）及びカラーフィルタ（着色部）を有する。ブラックマトリクスは、例えば格子状又はストライプ状に形成されており、ブラックマトリクスには、画素を構成するマトリクス状の複数の開口部が形成されている。ブラックマトリクスの各開口部内にはカラーフィルタが形成されている。各カラーフィルタは、例えば、赤色用のカラーフィルタ、緑色用のカラーフィルタ、又は、青色用のカラーフィルタである。各色のカラーフィルタは、各画素に対応している。
【００４７】
第１液晶層１０３は、第１ＴＦＴ基板１０１と第１対向基板１０２との間の隙間に封止されている。第１液晶層１０３の液晶材料は、駆動方式に応じて適宜選択することができる。
【００４８】
第２表示パネル２００は、第２ＴＦＴ基板２０１と、第２ＴＦＴ基板２０１に対向する第２対向基板２０２と、第２ＴＦＴ基板２０１と第２対向基板２０２との間に配置された第２液晶層２０３とを備える液晶セルである。本実施の形態において、第２ＴＦＴ基板２０１及び第２対向基板２０２のうち第２ＴＦＴ基板２０１が観察者側に位置している。
【００４９】
つまり、第２表示パネル２００は、第１表示パネル１００に対して、ＴＦＴ基板と対向基板（ＣＦ基板）とを反転させた状態で配置されている。具体的には、第１表示パネル１００及び第２表示パネル２００は、互いのＴＦＴ基板（第１ＴＦＴ基板１０１、第２ＴＦＴ基板２０１）が内側に位置するように配置されている。
【００５０】
第２ＴＦＴ基板２０１は、ガラス基板等の透明基板にＴＦＴ層が形成された基板である。ＴＦＴ層は、駆動回路層であり、ＴＦＴ層には、ＴＦＴ及びＴＦＴを駆動する配線等が形成されている。ＴＦＴ層の平坦化層上には、第１液晶層１０３に電圧を印加するための画素電極が形成されている。
【００５１】
第２対向基板２０２は、ガラス基板等の透明基板に画素形成層が形成された基板である。第２対向基板２０２の画素形成層は、画素を構成する格子状又はストライプ状に形成されたブラックマトリクスを有する。本実施の形態では、第２表示パネル２００はモノクロ画像を表示するので、画素形成層には、カラーフィルタが形成されていない。
【００５２】
第２液晶層２０３は、第２ＴＦＴ基板２０１と第２対向基板２０２との間の隙間に封止されている。第２液晶層２０３の液晶材料は、駆動方式に応じて適宜選択することができる。
【００５３】
第１表示パネル１００の両面の各々には、第１偏光板１０４が貼り付けられている。一対の第１偏光板１０４は、偏光方向が互いに直交するように配置されている。つまり、一対の第１偏光板１０４は、クロスニコルで配置されている。
【００５４】
また、第２表示パネル２００の両面の各々には、第２偏光板２０４が貼り付けられている。一対の第２偏光板２０４は、偏光方向が互いに直交するように配置されている。つまり、一対の第２偏光板２０４は、クロスニコルで配置されている。
【００５５】
一対の第１偏光板１０４及び一対の第２偏光板２０４は、例えば樹脂材料からなるシート状の偏光フィルムである。なお、第１偏光板１０４及び第２偏光板２０４には、位相差板（位相差フィルム）が貼り合わされていてもよい。
【００５６】
第１表示パネル１００と第２表示パネル２００とは接着層１０５によって貼り合わされている。具体的には、第１表示パネル１００の裏面側の第１偏光板１０４と第２表示パネル２００の前面側の第２偏光板２０４とが接着層１０５によって接着されている。接着層１０５としては、例えば、光学粘着シート（ＯＣＡ：Ｏｐｔｉｃａｌｌｙ  Ｃｌｅａｒ  Ａｄｈｅｓｉｖｅ）等の透明接着剤を用いることができる。なお、第１表示パネル１００と第２表示パネル２００との間に、拡散シートを別途挿入してもよい。
【００５７】
バックライト３００は、複数のＬＥＤ３１０と、透光基板３２０と、光学シート３３０と、反射板３４０とを有する。
【００５８】
複数のＬＥＤ３１０の各々は、発光素子の一例である。ＬＥＤ３１０としては、例えば白色光を発する白色ＬＥＤ光源を用いることができる。
【００５９】
本実施の形態において、バックライト３００は、直下型であるので、複数のＬＥＤ３１０は、二次元的に配置されている。具体的には、複数のＬＥＤ３１０は、下フレーム６３０の底部にマトリクス状に配列されている。より具体的には、複数のＬＥＤ３１０は、下フレーム６３０の凹部に配置された反射板３４０の底面上に配置されている。
【００６０】
透光基板３２０は、透光性を有する剛板の一例である。透光基板３２０は、例えば、可視光に対して透明なガラス板等の透明基板である。この場合、透光基板３２０としては、機械的強度に優れた強化ガラスを用いるとよい。
【００６１】
透光基板３２０は、下フレーム６３０の本体部６３１と対向している。具体的には、透光基板３２０は、本体部６３１の底板部６３１ａと対向するように配置されている。また、透光基板３２０は、透光基板３２０の外周端部が、下フレーム６３０の下フランジ部６３２と中フレーム６２０の中フランジ部６２１との間に位置するように配置されている。本実施の形態において、透光基板３２０は、外周端部が下フレーム６３０の下フランジ部６３２に支持されている。具体的には、透光基板３２０の外周端部は、下フランジ部６３２に載置された反射板３４０のフランジ部の上に載置されている。
【００６２】
なお、透光基板３２０は、光拡散性を有していてもよい。この場合、透光基板３２０は、入射した光を散乱させて透過させる。
【００６３】
光学シート３３０は、ＬＥＤ３１０の前方（光出射側）に配置される。また、光学シート３３０は、第２表示パネル２００と対向している。具体的には、光学シート３３０は、透光基板３２０及び第２表示パネル２００の各々と所定の間隔をあけて、透光基板３２０と第２表示パネル２００との間に配置されている。つまり、光学シート３３０と透光基板３２０との間に空気層が存在するとともに、光学シート３３０と第２表示パネル２００との間に空気層が存在する。
【００６４】
光学シート３３０は、外周端部が中フレーム６２０の中フランジ部６２１と上フレーム６１０の額縁部６１１との間に位置している。本実施の形態において、光学シート３３０は、中フレーム６２０に支持されている。具体的には、光学シート３３０は、外周端部が中フレーム６２０の中フランジ部６２１に支持されている。
【００６５】
光学シート３３０は、１枚であってもよいし、複数枚であってもよい。光学シート３３０としては、例えば、ＬＥＤ３１０からの光を拡散させるための拡散板（拡散シート）及び／又はプリズムシート等を用いることができる。
【００６６】
反射板３４０は、複数のＬＥＤ３１０の光を反射する機能を有する。反射板３４０は、下フレーム６３０の本体部６３１の底部に配置されている。反射板３４０は、例えば鋼板又はアルミ板等の金属板によって構成されている。この場合、反射板３４０の表面には、白塗装が施されているとよい。
【００６７】
フレーム６００を構成する上フレーム６１０と中フレーム６２０と下フレーム６３０とは、例えばネジにより互いに固定されている。
【００６８】
上フレーム６１０は、フレーム６００において上側（Ｚ軸方向プラス側）に配置されたフロントフレームである。本実施の形態において、上フレーム６１０は、平面視形状が矩形枠状で断面形状がＬ字状の金属フレームであり、鋼板又はアルミニウム板等の高い剛性を有する金属材料で構成されている。上フレーム６１０は、額縁部６１１と、側壁部６１２とを有する。
【００６９】
額縁部６１１は、第１表示パネル１００の表示面の周縁部を覆うベゼル部である。具体的には、額縁部６１１は、第１表示パネル１００の表示面の外周端部の全周を覆うように枠状に形成されている。本実施の形態において、額縁部６１１は、側壁部６１２の上端からフランジ状に突出している。額縁部６１１には、内方に突出する突出部６１１ａが形成されている。突出部６１１ａは、例えば絞り加工によって形成することができる。
【００７０】
額縁部６１１の先端部の内面（下面）にはクッション部材６１３が設けられている。クッション部材６１３は、額縁部６１１と第１表示パネル１００との間に配置されている。具体的には、額縁部６１１と第１偏光板１０４とで挟持されるようにクッション部材６１３が挿入されている。これにより、上フレーム６１０と第１表示パネル（第１偏光板１０４）との間の隙間をなくすことができるので、埃や虫が表示装置１の内部に侵入することを抑制することができる。
【００７１】
側壁部６１２は、額縁部６１１から下方に向かって突出するように形成されている。側壁部６１２は、第１表示パネル１００及び第２表示パネル２００とバックライト３００との側方に位置している。側壁部６１２は、中フレーム６２０の側壁部６２２と対面している。
【００７２】
中フレーム６２０は、上フレーム６１０と下フレーム６３０との間に配置されたミドルフレームである。中フレーム６２０は、第１表示パネル１００及び第２表示パネル２００をバックライト３００側から支持している。本実施の形態において、中フレーム６２０は、平面視形状が矩形枠状で断面形状がＬ字状の金属フレームであり、鋼板又はアルミニウム板等の高い剛性を有する金属材料で構成されている。中フレーム６２０は、中フランジ部６２１と、側壁部６２２とを有する。
【００７３】
中フランジ部６２１は、上フレーム６１０の額縁部６１１との間で第１表示パネル１００及び第２表示パネル２００を挟んでいる。具体的には、第１表示パネル１００及び第２表示パネルの各々の外周端部は、中フランジ部６２１と額縁部６１１との間に配置されている。中フランジ部６２１は、第２表示パネル２００の裏面の外周端部の全周を覆うように枠状に形成されている。
【００７４】
中フランジ部６２１の先端部の内面（下面）にはクッション部材６２３が設けられている。クッション部材６２３は、中フランジ部６２１と透光基板３２０の外周端部との間に配置されている。
【００７５】
側壁部６２２は、中フランジ部６２１から下方に向かって突出するように形成されている。側壁部６２２は、バックライト３００の側方に位置している。側壁部６２２は、上フレーム６１０の側壁部６１２と下フレーム６３０の本体部６３１の側板部６３１ｂとの間に配置されている。側壁部６２２は、上フレーム６１０の側壁部６１２と対面しているとともに、下フレーム６３０の本体部６３１の側板部６３１ｂと対面している。
【００７６】
下フレーム６３０は、フレーム６００において背面側（Ｚ軸方向マイナス側）に配置されたリアフレームである。下フレーム６３０は、バックライト３００を構成するＬＥＤ３１０を内部に収容するとともに、バックライト３００を構成する透光基板３２０と反射板３４０とを保持する。本実施の形態において、下フレーム６３０は、全体として凹状に形成された金属筐体であり、鋼板又はアルミニウム板等の高い剛性を有する金属材料で構成されている。下フレーム６３０は、本体部６３１と、下フランジ部６３２とを有する。
【００７７】
本体部６３１は、複数のＬＥＤ３１０を収容する収容空間を構成している。本体部６３１は、平面視形状が矩形の底板部（背面板）６３１ａと、底板部６３１ａの外周端部から上側に突出する枠状の側板部６３１ｂとを有する。
【００７８】
底板部６３１ａには、複数のＬＥＤ３１０が取り付けられる。本実施の形態において、複数のＬＥＤ３１０は、底板部６３１ａに載置された反射板３２０を介してた底板部６３１ａに取り付けられている。また、側板部６３１ｂは、底板部６３１ａの外周端部と下フレーム６３０の下フランジ部６３２との間をＸ軸方向に延びている。
【００７９】
下フランジ部６３２は、本体部６３１の周縁に設けられている。具体的には、下フランジ部６３２は、本体部６３１の側板部６３１ｂの上端部から外方に突出するように形成されている。なお、下フランジ部６３２と透光基板３２０の外周端部との間にクッション部材が配置されていてもよい。
【００８０】
図４及び図５に示すように、上フレーム６１０と中フレーム６２０との間には、複数の上スペーサ７１０が配置されている。具体的には、複数の上スペーサ７１０は、上フレーム６１０の額縁部６１１と中フレーム６２０の中フランジ部６２１との間に配置されている。各上スペーサ７１０は、上フレーム６１０と中フレーム６２０とによって挟持されており、上フレーム６１０と中フレーム６２０との隙間の間隔を規制している。また、上スペーサ７１０は、第１表示パネル１００及び第２表示パネル２００の面方向の移動を規制している。
【００８１】
中フレーム６２０と下フレーム６３０との間には、複数の下スペーサ７２０が配置されている。具体的には、複数の下スペーサ７２０は、中フレーム６２０の中フランジ部６２１と下フレーム６３０の下フランジ部６３２との間に配置されている。各下スペーサ７２０は、中フレーム６２０と下フレーム６３０とによって挟持されており、中フレーム６２０と下フレーム６３０との隙間の間隔を規制している。また、下スペーサ７２０は、透光基板３２０の面方向の移動を規制している。
【００８２】
上スペーサ７１０及び下スペーサ７２０は、樹脂材料によって構成された樹脂成型品であるが、これに限らない。上スペーサ７１０及び下スペーサ７２０は、例えば金属材料によって構成されていてもよい。
【００８３】
さらに、図６及び図７に示すように、表示装置１は、光学シート３３０の周縁部と第２表示パネル２００の周縁部との間に配置された遮光シート８１０及び８２０を備える。
【００８４】
図６に示すように、表示装置１の長辺側に配置された遮光シート８１０は、段差部を有するように屈曲した形状である。遮光シート８１０の内側の端部は、光学シート３３０と第２表示パネル２００に挿入されている。つまり、遮光シート８１０の内側の端部は、光学シート３３０の周縁部と第２表示パネル２００の周縁部とに挟持されている。
【００８５】
また、図７に示すように、表示装置１の短辺側に配置された遮光シート８２０は、断面Ｌ字形状に形成されている。遮光シート８２０の内側の端部は、遮光シート８１０と同様に、光学シート３３０と第２表示パネル２００に挿入されている。つまり、遮光シート８２０の内側の端部も、光学シート３３０の周縁部と第２表示パネル２００の周縁部とに挟持されている。なお、遮光シート８２０のＺ軸方向に延在する部分は、上フレーム６１０の側壁部６１２と中フレーム６２０の側壁部６２２とに挟持されている。
【００８６】
図６に戻り、表示装置１の長辺側の断面では、上フレーム６１０と中フレーム６２０との間には、第１ソースＦＰＣ１１０及び第２ソースＦＰＣ２１０が配置されている。第１ソースＦＰＣ１１０は、第１表示パネル１００の第１ＴＦＴ基板１０１の内面側に接続されており、第２ソースＦＰＣ２１０は、第２表示パネル２００の第２ＴＦＴ基板２０１の内面側に接続されている。
【００８７】
第１ソースＦＰＣ１１０は、上フレーム６１０の額縁部６１１に形成された突出部６１１ａに接触している。具体的には、第１ソースＦＰＣ１１０における第１ソースドライバ１１１が実装された部分の反対側の面が突出部６１１ａに接触している。これにより、第１ソースドライバ１１１で発生した熱を突出部６１１ａを介して上フレーム６１０に効率良く放熱させることができる。
【００８８】
一方、第２ソースＦＰＣ２１０は、中フレーム６２０の中フランジ部６２１に載置された熱伝導シート６２５に接触している。具体的には、第２ソースＦＰＣ２１０における第２ソースドライバ２１１が実装された部分の反対側の面が熱伝導シート６２５に接触している。これにより、第２ソースドライバ２１１で発生した熱を熱伝導シート６２５を介して中フレーム６２０に効率良く放熱させることができる。
【００８９】
図７に示すように、表示装置１の短辺側の断面では、上フレーム６１０と中フレーム６２０との間に、第１ゲートＦＰＣ１２０及び第２ゲートＦＰＣ２２０が配置されている。第１ゲートＦＰＣ１２０は、第１表示パネル１００の第１ＴＦＴ基板１０１の内面側に接続されており、第２ゲートＦＰＣ２２０は、第２表示パネル２００の第２ＴＦＴ基板２０１の内面側に接続されている。
【００９０】
また、第１ゲートＦＰＣ１２０は、第１ソースＦＰＣ１１０と同様に、上フレーム６１０の額縁部６１１に形成された突出部６１１ａに接触している。具体的には、第１ゲートＦＰＣ１２０における第１ゲートドライバ１２１が実装された部分の反対側の面が突出部６１１ａに接触している。これにより、第１ゲートドライバ１２１で発生した熱を突出部６１１ａを介して上フレーム６１０に効率良く放熱させることができる。
【００９１】
一方、第２ゲートＦＰＣ２２０は、第２ソースＦＰＣ２１０と同様に、中フレーム６２０の中フランジ部６２１に載置された熱伝導シート６２５に接触している。具体的には、第２ゲートＦＰＣ２２０における第２ゲートドライバ２２１が実装された部分の反対側の面が熱伝導シート６２５に接触している。これにより、第２ゲートドライバ２２１で発生した熱を熱伝導シート６２５を介して中フレーム６２０に効率良く放熱させることができる。
【００９２】
次に、本実施の形態に係る表示装置１の効果等について、本開示の技術を得るに至った経緯も含めて説明する。
【００９３】
上述のように、近年、液晶表示装置のバックライトとしては、直下型のＬＥＤバックライトが用いられている。従来の直下型のＬＥＤバックライトは、例えば、本実施の形態における表示装置のバックライト３００と同様に、下フレームと、下フレームの底部に配列された複数のＬＥＤと、複数のＬＥＤの前方に配置された透光基板と、光学シートとを備えているが、本実施の形態におけるバックライト３００と異なり、光学シート３３０は、透光基板３２０に載置されている。また、従来の直下型のＬＥＤバックライトでは、透光基板３２０は、本実施の形態におけるバックライト３００と同様に、外周端部が下フレーム６３０の下フランジ部６３２に載置されることで下フレーム６３０に支持されている。
【００９４】
このような構成の直下型のＬＥＤバックライトでは、ＬＥＤ３１０から出射する光の一部が透光基板３２０を透過する際に透光基板３２０に吸収されて熱に変わる。この結果、透光基板３２０は、ＬＥＤ３１０から出射する光によって温度が上昇する。
【００９５】
ところで、液晶表示装置では、バックライトを冷却するために、冷却ファンが内蔵されていたり放熱フィン等の放熱構造が設けられたりしている。このような冷却機構は、下フレーム周辺又は下フレームの背面側に設けられている。このため、下フレームは冷却機構によって冷却されるため、上記のように、下フレームの下フランジ部に透光基板が支持されていると、透光基板の外周端部は、下フレームによって冷却されることになる。この結果、透光基板の中央部と周辺部とで温度分布（温度差）が生じる。
【００９６】
この場合、従来の直下型のＬＥＤバックライトのように光学シートが透光基板に載置されていると、光学シートは透光基板の温度の影響を受けて、透光基板に載置された光学シートにも中央部と周辺部との間で温度分布が生じることになる。この結果、光学シートにうねりが生じ、液晶表示装置に表示される画像の品位が低下するという課題がある。
【００９７】
特に、表示パネルとして２枚の液晶パネルを用いた液晶表示装置では、各表示パネルによる光の透過率の低下を補うために、バックライトの光の光量を大きく設定する必要がある。この場合、透光基板の温度上昇量が大きくなり、透光基板の中央部と周辺部との温度差が拡大する。このため、光学シートのうねりも大きくなって、画像の品位が著しく低下する。
【００９８】
このような課題に対して本発明者らが鋭意検討した結果、光学シートの配置位置を工夫することで、光学シートのうねりを抑制できるという知見を得て、本開示の技術の着想を得た。
【００９９】
具体的には、本実施の形態における表示装置１では、透光基板３２０を下フレーム６３０と中フレーム６２０との間に配置する一方で、光学シート３３０を中フレーム６２０と上フレーム６１０との間に配置している。
【０１００】
より具体的には、透光基板３２０は、外周端部が下フレーム６３０の下フランジ部６３２と中フレーム６２０の中フランジ部６２１との間に位置するように配置されている。また、光学シート３３０は、外周端部が中フレーム６２０の中フランジ部６２１と上フレーム６１０の額縁部６１１との間に位置するように配置されている。
【０１０１】
この構成により、光学シート３３０と透光基板３２０とを広い範囲で接触させずに離間させることができるので、上記のように透光基板３２０に温度分布が生じたとしても、光学シート３３０は、透光基板３２０に温度分布の影響を受けにくくなる。これにより、光学シート３３０にうねりが生じることを抑制することができるので、光学シート３３０のうねりによる画像の品位の低下を抑制することができる。
【０１０２】
しかも、本実施の形態における表示装置１において、透光基板３２０は、直下型のＬＥＤバックライトと同様に、下フレーム６３０と中フレーム６２０との間に配置されている。つまり、第２表示パネル２００とＬＥＤ３１０との間に透光基板３２０が配置されている。これにより、ＬＥＤ３１０による下フレーム６３０内の熱気が第２表示パネル２００及び第１表示パネル１００に直接到達しないので、第２表示パネル２００及び第１表示パネル１００が熱によって劣化したり画像品位が低下したりすることを抑制できる。
【０１０３】
また、本実施の形態における表示装置１では、さらに、光学シート３３０の周縁部と第２表示パネル２００の周縁部との間に配置された遮光シート８１０及び８２０を備えている。
【０１０４】
この構成により、光学シート３３０と第２表示パネル２００との間の隙間から光が漏れることを抑制することができる。これにより、光漏れによる画像品位の低下を抑制することができる。
【０１０５】
また、本実施の形態における表示装置１において、透光基板３２０は、ガラス板である。
【０１０６】
これにより、透光基板３２０として、熱による膨張又は収縮が小さくて高い剛性を有する透光基板３２０を実現できる。したがって、光学シート３３０がたわんだとしても透光基板３２０で光学シート３３０を受け止めることができる。
【０１０７】
この場合、ガラス板である透光基板３２０は、さらに、光拡散性を有するとよい。
【０１０８】
これにより、透光基板３２０を透過する光を拡散させることができるので、バックライト３００の光源が複数のＬＥＤ３１０で構成されていても、第２表示パネル２００及び第１表示パネル１００に入射する光を均一な面状の光にすることができる。したがって、画像品位を向上させることができる。
【０１０９】
また、本実施の形態における表示装置１は、さらに、中フレーム６２０の中フランジ部６２１と下フレーム６３０の下フランジ部６３２との間に配置され、透明基板３２０の面方向の移動を規制する下スペーサ７２０と、上フレーム６１０の額縁部６１１と中フレーム６２０の中フランジ部６２１との間に配置され、光学シート３３０の面方向の移動を規制する上スペーサ７１０とを備えている。
【０１１０】
これにより、透光基板３２０と光学シート３３０の面方向の移動を別々に規制することができるため、光学シート３３０の熱変形に合わせて上スペーサ７１０を設置することで、光学シート３３０の規制による不要な負荷が掛かるおそれを低減できる。
【０１１１】
また、本実施の形態における表示装置１は、さらに、中フレーム６２０の中フランジ部６２１と透光基板３２０の外周端部との間に配置されたクッション部材６２３を備えている。
【０１１２】
これにより、透光基板３２０の主面の水平方向の動きを規制することができるとともに透光基板３２０の主面の法線方向の動きを規制することができ、透光基板３２０の位置を固定することができる。
【０１１３】
なお、クッション部材６２３は、中フレーム６２０の中フランジ部６２１ではなく、下フレーム６３０の下フランジ部６３２と透光基板３２０の外周端部との間に配置してもよいし、中フランジ部６２１及び透光基板３２０の間と下フランジ部６３２及び透光基板３２０の間の両方に配置してもよい。
【０１１４】
（変形例）
以上、本開示に係る表示装置について、実施の形態に基づいて説明したが、本開示は、上記実施の形態に限定されるものではない。
【０１１５】
例えば、上記実施の形態において、表示装置１のフレーム６００における下フレーム６３０は全て金属材料によって構成されていたが、これに限らず、下フレーム６３０の一部を熱伝導率の低い材料によって構成してもよい。例えば、図８に示される表示装置１Ａの下フレーム６３０のように、本体部６３１の底板部６３１ａを金属部品とし、本体部６３１の側板部６３１ｂ’及び下フランジ部６３２’を熱伝導率の低い樹脂成形品として、下フレーム６３０を熱伝導率が異なる複数の部品で構成してもよい。つまり、側板部６３１ｂ’と下フランジ部６３２’は、底板部６３１ａよりも熱伝導率の低い材料で一体に構成されている。
【０１１６】
これにより、冷却ファン等の冷却機構が設けられていても下フレーム６３０の下フランジ部６３２’が冷えにくくなるので、透光基板３２０に温度分布が生じることを抑制できる。この結果、光学シート３３０の温度差をさらに抑制できるので、光学シート３３０にうねりが発生することを一層抑制できる。
【０１１７】
また、図８に示されるように、本体部６３１の側板部６３１ｂ’及び下フランジ部６３２’を熱伝導率の低い樹脂成形品とする下フレーム６３０を用いることで透光基板３２０の温度分布を抑制できることから、従来のように、透光基板３２０に光学シート３３０を載置した構成であっても、光学シート３３０にうねりが発生することを抑制することができる。
【０１１８】
また、図８に示すように、下フレーム６３０を複数の部品によって構成することで、他の製品の部品との共用化を図ることができる。例えば、本体部６３１の側板部６３１ｂ’及び下フランジ部６３２’が１つの樹脂成形品として交換できるように構成されていてもよい。
【０１１９】
また、図８において、金属部品の底板部６３１ａにヒートシンクを取り外し可能な構造としてもよい。この構造により、製品仕様によって下フレーム６３０をカスタマイズすることができる。
【０１２０】
また、上記実施の形態において、表示装置は、表示パネルとして、第１表示パネル１００と第１表示パネル１００に重ね合わせられた第２表示パネル２００とが設けられていたが、これに限らない。つまり、表示装置における表示パネルの数は限定されず、１枚であってもよいし、２枚以上であってもよい。
【０１２１】
また、上記実施の形態において、第１表示パネル１００及び第２表示パネル２００は、液晶表示パネルとしたが、これに限らない。
【０１２２】
また、上記実施の形態において、第１表示パネル１００がカラー画像を表示し、第２表示パネル２００がモノクロ画像を表示する構成としたが、これに限らない。例えば、第１表示パネル１００がモノクロ画像を表示し、第２表示パネル２００がカラー画像を表示する構成であってもよい。
【０１２３】
また、上記実施の形態及び変形例において、バックライト３００のＬＥＤ３１０は、波長変換材として蛍光体を用いて白色光を生成する白色ＬＥＤ光源としたが、これに限るものではない。例えば、波長変換材として量子ドットを用いてもよい。この場合、バックライト３００の光源は、量子ドットを用いた白色ＬＥＤ素子であってもよいが、光学シート３３０として、ＱＤＥＦ（Ｑｕａｎｔｕｍ  Ｄｏｔ．  Ｅｎｈａｎｃｅｍｅｎｔ  Ｆｉｌｍ）等の量子ドットを含有させた光学フィルム（量子ドットフィルム）を用いるとともに、バックライト３００の光源として、量子ドットを励起する励起光として青色光を発する青色ＬＥＤ素子を用いてもよい。なお、量子ドットとしては、青色光を緑色光及び赤色光の各々に変換するものを用いることができる。このように、波長変換材として量子ドットを用いることで、波長変換材として蛍光体を用いる場合と比べて、色再現性に優れた液晶表示装置を実現できる。
【０１２４】
なお、その他、上記実施の形態に対して当業者が思いつく各種変形を施して得られる形態や、本開示の趣旨を逸脱しない範囲で実施の形態における構成要素及び機能を任意に組み合わせることで実現される形態も本開示に含まれる。
【符号の説明】
【０１２５】
１、１Ａ  表示装置
１００  第１表示パネル
１０１  第１ＴＦＴ基板
１０２  第１対向基板
１０３  第１液晶層
１０４  第１偏光板
１０５  接着層
１１０  第１ソースＦＰＣ
１１１  第１ソースドライバ
１１２  第１回路基板
１２０  第１ゲートＦＰＣ
１２１  第１ゲートドライバ
１３０  第１画像表示領域
２００  第２表示パネル
２０１  第２ＴＦＴ基板
２０２  第２対向基板
２０３  第２液晶層
２０４  第２偏光板
２１０  第２ソースＦＰＣ
２１１  第２ソースドライバ
２１２  第２回路基板
２２０  第２ゲートＦＰＣ
２２１  第２ゲートドライバ
２３０  第２画像表示領域
３００  バックライト
３１０  ＬＥＤ
３２０  透光基板
３３０  光学シート
３４０  反射板
４１０  第１タイミングコントローラ
４２０  第２タイミングコントローラ
５００  画像処理部
６００  フレーム
６１０  上フレーム
６１１  額縁部
６１１ａ  突出部
６１２  側壁部
６１３、６２３  クッション部材
６２０  中フレーム
６２１  中フランジ部
６２２  側壁部
６２５  熱伝導シート
６３０  下フレーム
６３１  本体部
６３１ａ  底板部
６３１ｂ  側板部
６３２  下フランジ部
７１０  上スペーサ
７２０  下スペーサ
８１０、８２０  遮光シート
【図１】
2018163315.tif 000003
【図２】
2018163315.tif 000004
【図３】
2018163315.tif 000005
【図４】
2018163315.tif 000006
【図５】
2018163315.tif 000007
【図６】
2018163315.tif 000008
【図７】
2018163315.tif 000009
【図８】
2018163315.tif 000010